(57)【要約】【課題】継続スキャン処理において、新たな原稿の画像を任意の位置に表示することを課題とする。【解決手段】記憶部に記憶されているスキャンデータに基づく画像７６と、ドラッグ操作可能な継続スキャンアイコン７８とが、パネル１６に表示される。この継続スキャンアイコンがドラッグ操作された場合には、ドラッグ先の位置が、パネルに表示されている画像のうちの１の画像と重なる位置及び隣の一方であるか否かが判断される。そして、ドラッグ先の位置が１の画像と重なる位置であると判断された場合には、その１の画像が、新たに取得予定のスキャンデータに基づく画像で置き換えられる。また、ドラッグ先の位置が１の画像の隣であると判断された場合には、その１の画像の隣に、新たに取得予定のスキャンデータに基づく画像が配置される。これにより、継続スキャン処理において、新たな原稿の画像を任意の位置に表示することが可能となる。【選択図】図４
2015198288.tif 000002
【特許請求の範囲】
【請求項１】
表示部と、ユーザ操作に応じた信号を出力する操作部と、スキャンデータを記憶する記憶部とを備えた情報処理装置のコンピュータが実行する制御プログラムであって、
前記表示部に、前記記憶部に記憶されている前記スキャンデータに基づく画像と、前記操作部によりドラッグ操作可能な第１アイコンとを表示させる表示手段と、
前記第１アイコンに対するドラッグ操作に応じて前記操作部が出力した信号に基づいて、前記第１アイコンのドラッグ先の位置を取得する取得手段と、
前記取得手段により取得されたドラッグ先の位置が、前記表示部に表示されている画像のうちの１の画像と重なる位置及び隣の一方であるか否かを判断する第１判断手段と、
前記第１判断手段により前記ドラッグ先の位置が前記１の画像と重なる位置であると判断された場合に、前記１の画像を新たに取得予定のスキャンデータに基づく画像で置き換え、前記第１判断手段により前記ドラッグ先の位置が前記１の画像の隣であると判断された場合に、前記１の画像の隣に、前記新たに取得予定のスキャンデータに基づく画像が配置されるよう、前記表示手段により表示された画像、及び新たに取得予定のスキャンデータに基づく画像の並び順を決定する並び順決定手段と、
して前記コンピュータを機能させることを特徴とする制御プログラム
【請求項２】
前記情報処理装置は、スキャン装置と通信を行うための通信部をさらに備え、
前記表示手段は、
前記スキャン装置によるスキャン処理を実行させるための第２アイコンを前記表示部に表示させ、
前記第２アイコンに対する選択動作の有無を、前記操作部が出力する信号に基づいて、判断する第２判断手段と、
前記第２判断手段によって前記第２アイコンに対する選択動作があったと判断された場合に、スキャン指示を、前記通信部を介して、前記スキャン装置に送信するスキャン指示送信手段と、
前記スキャン指示送信手段により送信したスキャン指示に応じて、前記スキャン装置から送信されるスキャンデータを前記通信部を介して、前記スキャン装置から受信するスキャンデータ受信手段と、
して前記コンピュータを機能させ、
前記表示手段は、
前記スキャンデータ受信手段により受信したスキャンデータに基づく画像と、前記表示部に表示されている画像とが、前記並び順決定手段により決定されている並び順に従って表示されるよう、前記表示部の表示を更新させることを特徴とする請求項１に記載の制御プログラム。
【請求項３】
前記スキャンデータ受信手段により受信したスキャンデータを、前記記憶部に記憶させる第１記憶手段として、前記コンピュータを機能させ、
前記第１記憶手段は、
前記第１判断手段により前記ドラッグ先の位置が前記１の画像と重なる位置であると判断された場合に、前記表示手段により前記１の画像が新たに取得予定のスキャンデータに基づく画像で置き換えて表示されるよう、前記スキャンデータ受信手段により受信したスキャンデータを前記記憶部に記憶させ、
前記第１判断手段により前記ドラッグ先の位置が前記１の画像の隣であると判断された場合に、前記表示手段により前記１の画像の隣に前記スキャンデータ受信手段により受信したスキャンデータに基づく画像が前記表示部に表示されるよう、前記スキャンデータ受信手段により受信したスキャンデータを前記記憶部に記憶させることを特徴とする請求項２に記載の制御プログラム。
【請求項４】
前記記憶部は、
前記スキャンデータを、通し番号と関連付けて記憶しており、
前記第１記憶手段は、
前記第１判断手段により前記ドラッグ先の位置が前記１の画像と重なる位置であると判断された場合に、前記スキャンデータ取得手段により取得したスキャンデータを、前記１の画像に係るスキャンデータと関連付けて記憶されている通し番号と関連付けて記憶し、前記第１判断手段により前記ドラッグ先の位置が前記１の画像の隣であると判断された場合に、前記スキャデータ取得手段により取得したスキャンデータを、前記１の画像のスキャンデータと関連付けて記憶されている通し番号の１つ前又は１つ後の番号と関連付けて記憶することを特徴とする請求項３に記載の制御プログラム。
【請求項５】
前記第１記憶手段は、
前記第１判断手段により前記ドラッグ先の位置が前記１の画像と重なる位置であると判断された場合に、前記１の画像に係るスキャンデータを、前記スキャンデータ受信手段により受信したスキャンデータで上書き記憶することを特徴とする請求項３に記載の制御プログラム。
【請求項６】
前記第１記憶手段は、
前記スキャンデータ受信手段によりスキャンデータを前記記憶部に記憶した後、前記記憶部に記憶しているスキャンデータが複数である場合は、それら複数のスキャンデータを結合し、結合されたデータを前記記憶部に記憶することを特徴とする請求項５に記載の制御プログラム。
【請求項７】
前記第１アイコンは、前記第２アイコンとして機能することを特徴とする請求項２乃至６の何れか１項に記載の制御プログラム。
【請求項８】
前記第１アイコンは、
スキャン装置によるスキャン処理の設定値の変更画面を前記表示部に表示させるためのアイコンとして機能することを特徴とする請求項１乃至７の何れか１項に記載の制御プログラム。
【請求項９】
前記スキャン指示送信手段は、
スキャン指示とともに、スキャン処理の設定値を送信し、
前記スキャン指示送信手段によりスキャン指示が送信される毎に、スキャン指示とともに送信されるスキャン処理の設定値を更新して前記記憶部に記憶する第２記憶手段として前記コンピュータを機能させ、 
前記スキャン指示送信手段は、
前記第１判断手段により前記ドラッグ先の位置が前記１の画像の隣であると判断された場合に、スキャン指示とともに、前記記憶部に記憶されているスキャン処理の設定値を出力することを特徴とする請求項１乃至８の何れか１項に記載の制御プログラム。
【請求項１０】
前記スキャン指示送信手段は、
前記第１判断手段により前記ドラッグ先の位置が前記１の画像と重なる位置であると判断された場合に、スキャン指示とともに、前記１の画像に係るスキャンデータのスキャン処理の設定値と同じ設定値を送信することを特徴とする請求項１乃至９の何れか１項に記載の制御プログラム。
【請求項１１】
前記表示手段は、
前記スキャン装置において実行されるスキャンの対象となる原稿の大きさを選択するための第３アイコンを前記表示部に表示させ、
前記第３アイコンに対する選択動作の有無を、前記操作部が出力する信号に基づいて、判断する第３判断手段と、
して前記コンピュータを機能させ、
前記表示手段は、
前記第１判断手段により前記ドラッグ先の位置が前記１の画像の隣であると判断されるとともに、前記第３判断手段によって前記第３アイコンに対する選択動作があったと判断された場合に、当該選択動作により選択された原稿の大きさに対応する大きさの第４アイコンを、前記１の画像の隣に表示させることを特徴とする請求項１乃至１０の何れか１項に記載の制御プログラム。
【請求項１２】
表示部と、
ユーザ操作に応じた信号を出力する操作部と、
スキャンデータを記憶する記憶部と、
制御部と、
を備えた情報処理装置であって、
前記制御部は、
前記表示部に、前記記憶部に記憶されている前記スキャンデータに基づく画像と、前記操作部によりドラッグ操作可能な第１アイコンとを表示させる表示手段と、
前記第１アイコンに対するドラッグ操作に応じて前記操作部が出力した信号に基づいて、前記アイコンのドラッグ先の位置を取得する取得手段と、
前記取得手段により取得されたドラッグ先の位置が、前記表示部に表示されている画像のうちの１の画像と重なる位置及び隣の一方であるか否かを判断する第１判断手段と、
前記第１判断手段により前記ドラッグ先の位置が前記１の画像と重なる位置であると判断された場合に、前記１の画像を新たに取得予定のスキャンデータに基づく画像で置き換え、前記第１判断手段により前記ドラッグ先の位置が前記１の画像の隣であると判断された場合に、前記１の画像の隣に、前記新たに取得予定のスキャンデータに基づく画像が配置されるよう、前記表示手段により表示された画像、及び新たに取得予定のスキャンデータに基づく画像の並び順を決定する並び順決定手段と、
を備えることを特徴とする情報処理装置。
【発明の詳細な説明】
【技術分野】
【０００１】
本発明は、表示部と、スキャンデータを記憶する記憶部とを備えた情報処理装置のコンピュータが読み取り可能な制御プログラム等に関する。
【背景技術】
【０００２】
表示部と、スキャンデータを記憶する記憶部とを備えた情報処理装置では、記憶部に記憶されているスキャンデータに基づく画像が、表示部に表示される。そして、表示部に表示されている画像に、新たな原稿の画像を追加したい場合には、継続スキャン処理が行われる。継続スキャン処理とは、記憶部に記憶されているスキャンデータと、新たな原稿のスキャンデータとを、一纏めにしたい場合に行われるスキャン処理であり、継続スキャン処理が行われると、表示部に先に表示されていた画像に加えて、新たな原稿のスキャンデータに基づく画像が表示される。下記特許文献には、継続スキャン処理の一例が記載されている。
【先行技術文献】
【特許文献】
【０００３】
【特許文献１】特開２００５−６４９４４号公報
【発明の概要】
【発明が解決しようとする課題】
【０００４】
上記特許文献に記載の情報処理装置によれば、継続スキャン処理により、表示部に先に表示されていた画像に加えて、新たな原稿のスキャンデータに基づく画像が表示される。ただし、上記特許文献に記載の情報処理装置では、新たな原稿の画像の表示位置、つまり、表示部に先に表示されていた画像と新たな原稿の画像との表示順は、考慮されていない。本発明は、そのような事情に鑑みてなされたものであり、継続スキャン処理において、新たな原稿の画像を任意の位置に表示することが可能な情報処理装置の提供を課題とする。
【課題を解決するための手段】
【０００５】
上記課題を解決するために、本発明の制御プログラムは、表示部と、ユーザ操作に応じた信号を出力する操作部と、スキャンデータを記憶する記憶部とを備えた情報処理装置のコンピュータが実行する制御プログラムであって、前記表示部に、前記記憶部に記憶されている前記スキャンデータに基づく画像と、前記操作部によりドラッグ操作可能な第１アイコンとを表示させる表示手段と、前記第１アイコンに対するドラッグ操作に応じて前記操作部が出力した信号に基づいて、前記第１アイコンのドラッグ先の位置を取得する取得手段と、前記取得手段により取得されたドラッグ先の位置が、前記表示部に表示されている画像のうちの１の画像と重なる位置及び隣の一方であるか否かを判断する第１判断手段と、前記第１判断手段により前記ドラッグ先の位置が前記１の画像と重なる位置であると判断された場合に、前記１の画像を新たに取得予定のスキャンデータに基づく画像で置き換え、前記第１判断手段により前記ドラッグ先の位置が前記１の画像の隣であると判断された場合に、前記１の画像の隣に、前記新たに取得予定のスキャンデータに基づく画像が配置されるよう、前記表示手段により表示された画像、及び新たに取得予定のスキャンデータに基づく画像の並び順を決定する並び順決定手段と、して前記コンピュータを機能させることを特徴とする。
【０００６】
また、上記課題を解決するために、本発明の情報処理装置は、表示部と、ユーザ操作に応じた信号を出力する操作部と、スキャンデータを記憶する記憶部と、制御部と、を備えた情報処理装置であって、前記制御部は、前記表示部に、前記記憶部に記憶されている前記スキャンデータに基づく画像と、前記操作部によりドラッグ操作可能な第１アイコンとを表示させる表示手段と、前記第１アイコンに対するドラッグ操作に応じて前記操作部が出力した信号に基づいて、前記アイコンのドラッグ先の位置を取得する取得手段と、前記取得手段により取得されたドラッグ先の位置が、前記表示部に表示されている画像のうちの１の画像と重なる位置及び隣の一方であるか否かを判断する第１判断手段と、前記第１判断手段により前記ドラッグ先の位置が前記１の画像と重なる位置であると判断された場合に、前記１の画像を新たに取得予定のスキャンデータに基づく画像で置き換え、前記第１判断手段により前記ドラッグ先の位置が前記１の画像の隣であると判断された場合に、前記１の画像の隣に、前記新たに取得予定のスキャンデータに基づく画像が配置されるよう、前記表示手段により表示された画像、及び新たに取得予定のスキャンデータに基づく画像の並び順を決定する並び順決定手段と、を備えることを特徴とする。
【発明の効果】
【０００７】
本発明に記載の制御プログラム等では、記憶部に記憶されているスキャンデータに基づく画像と、ドラッグ操作可能な第１アイコンとが、表示部に表示される。この第１アイコンがドラッグ操作された場合には、第１アイコンのドラッグ先の位置が、表示部に表示されている画像のうちの１の画像と重なる位置及び隣の一方であるか否かが判断される。そして、ドラッグ先の位置が１の画像と重なる位置であると判断された場合には、その１の画像が、新たに取得予定のスキャンデータに基づく画像で置き換えられる。また、ドラッグ先の位置が１の画像の隣であると判断された場合には、その１の画像の隣に、新たに取得予定のスキャンデータに基づく画像が配置される。これにより、継続スキャン処理において、新たな原稿の画像を任意の位置に表示することが可能となる。
【図面の簡単な説明】
【０００８】
【図１】通信システム１のブロック図である。
【図２】メイン画面５２を示す図である。
【図３】メイン画面５２とプレビュー画面７０とを示す図である。
【図４】メイン画面５２とプレビュー画面７０とを示す図である。
【図５】メイン画面５２とプレビュー画面７０とを示す図である。
【図６】メイン画面５２とプレビュー画面７０とを示す図である。
【図７】メイン画面５２とプレビュー画面７０とを示す図である。
【図８】ＰＣ１０の動作フローチャートを示す図である。
【図９】ＰＣ１０の動作フローチャートを示す図である。
【図１０】ＰＣ１０の動作フローチャートを示す図である。
【図１１】ＰＣ１０の動作フローチャートを示す図である。
【図１２】第２実施形態のメイン画面５２とプレビュー画面７０とを示す図である。
【図１３】第３実施形態のメイン画面５２とプレビュー画面７０とを示す図である。
【図１４】第３実施形態のメイン画面５２とプレビュー画面７０とを示す図である。
【発明を実施するための形態】
【０００９】
＜通信システムの構成＞
図１に、本願に係る第１実施形態として例示される通信システム１のブロック図を示す。通信システム１は、ＰＣ（Personal computerの略）（本発明の情報処理装置の一例）１０、スキャナ（本発明のスキャン装置の一例）３０、ルーター３２を備える。
【００１０】
ＰＣ１０の構成について説明する。ＰＣ１０は、ＣＰＵ（Central Processing Unitの略）（本発明の制御部、コンピュータの一例）１２、記憶部１４、パネル（本発明の表示部の一例）１６、マウス（本発明の操作部の一例）１８、ネットワークＩ／Ｆ（本発明の通信部の一例）２０を主に備えている。これらの構成要素は、入出力ポート２２を介して互いに通信可能とされている。
【００１１】
ネットワークＩ／Ｆ２０は、ルーター３２を介して外部装置と通信するものであり、ルーター３２を介して、スキャナ３０に接続される。これにより、ＰＣ１０は、スキャナ３０と各種データの送受信を行うことが可能である。
【００１２】
パネル１６は、表示面を有しており、表示面に画像データに基づく画像等を表示する。マウス１８は、パネル１６の表示面に表示されるポインタを移動させるためのものであり、ユーザによるドラッグ操作、クリック操作等を受け付ける
【００１３】
ＣＰＵ１２は、記憶部１４内の制御プログラム（本発明の制御プログラムの一例）２６に従って処理を実行する。制御プログラム２６は、スキャナ３０にスキャン処理を実行させるためのプログラムである。以降、制御プログラム２６など、プログラムを実行するＣＰＵ１２のことを、単にプログラム名でも記載する場合がある。例えば、「制御プログラム２６が」という記載は、「制御プログラム２６を実行するＣＰＵ１２が」ということを意味する場合がある。
【００１４】
なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。また、記憶部１４は、データ記憶領域（本発明の記憶部の一例）２８を備える。データ記憶領域２８は、スキャナ３０から取得したスキャンデータ、制御プログラム２６の実行に必要なデータなどを記憶する領域である。
【００１５】
＜継続スキャン処理＞
通信システム１では、スキャナ３０が、ＰＣ１０からのスキャン指令に従って、スキャン処理を実行し、スキャン処理により生成されたスキャンデータが、ＰＣ１０に送信される。この際、スキャナ３０によって、少なくとも１枚以上の原稿が纏めてスキャンされた場合には、それら少なくとも１枚以上の原稿のスキャンデータが、１群のスキャンデータ（以下、「スキャンデータ群」と記載する場合がある）として、ＰＣ１０に記憶される。そして、そのスキャンデータ群に、ユーザが、新たなスキャンデータを追加したい場合には、継続スキャン処理が行われる。つまり、例えば、少なくとも１枚以上の原稿がスキャンされ、それら少なくとも１枚以上の原稿のスキャンデータがＰＣ１０に記憶された後に、新たな原稿のスキャンデータを、先にスキャンした原稿のスキャンデータと一緒に記憶したい場合には、継続スキャンが行われ、新たな原稿のスキャンデータと、先にスキャンした原稿のスキャンデータとが、関連付けて記憶される。
【００１６】
詳しくは、ＰＣ１０では、制御プログラム２６が実行されると、図２に示すように、パネル１６の表示面５０に、メイン画面５２が表示される。メイン画面５２には、メインスキャンアイコン５４と４つの設定選択ボタン５６ａ，５６ｂ，５６ｃ，５６ｄと設定値表示欄５８とが表示される。メインスキャンアイコン５４は、スキャン処理を実行するためのボタンである。設定選択ボタン５６は、スキャン処理時のスキャン設定を選択するためのボタンであり、設定選択ボタン５６毎にスキャン処理時の設定値が設定されている。それらメインスキャンアイコン５４および、設定選択ボタン５６の操作時には、各ボタンに重なるように、マウス操作により、ポインタ６０を移動させ、左クリック操作が行われる。
【００１７】
なお、パネル１６に表示されているメインスキャンアイコン５４等の画像に重なるように、マウス操作により、ポインタ６０を移動させ、左クリック操作を行うことを、単に、ボタン等に対する左クリック操作と記載する場合がある。なお、各ボタン、各アイコン上での左クリック操作は、本発明の選択動作の一例である。選択動作は、各ボタン、各アイコン上での左クリック操作に限定されない。また、設定値表示欄５８は、現在設定されているスキャン処理の設定値が表示される。つまり、４つの設定選択ボタン５６のうちの何れか１つのボタンに対する左クリック操作が行われると、操作されたボタンに応じて設定されている設定値が、設定値表示欄５８に表示される。
【００１８】
メイン画面５２において、メインスキャンアイコン５４に対する左クリック操作が行われると、スキャン指令が、ＰＣ１０からスキャナ３０に送信される。この際、４つの設定選択ボタン５６のうちの選択されているボタンに応じた設定値が、スキャン指令とともに、スキャナ３０に送信される。つまり、ＰＣ１０は、所定の設定値を含むスキャン指令をスキャナ３０に送信する。なお、スキャナ３０のＡＤＦ（Auto Document Feederの略）（図示省略）若しくは、フラットベッド（図示省略）には、少なくとも１枚以上の原稿がセットされている。
【００１９】
スキャナ３０は、所定の設定値を含むスキャン指令を受信すると、その設定値に従ってスキャン処理を実行し、スキャン処理により生成されたスキャンデータを、ＰＣ１０に送信する。ＰＣ１０は、スキャンデータを受信すると、受信したスキャンデータをスキャンデータ群として、データ記憶領域２８に記憶する。具体的には、スキャンデータがＪＰＥＧ形式のデータである場合には、複数枚の原稿がスキャンされることにより、複数のＪＰＥＧ方式のデータが形成されるため、それら複数のＪＰＥＧ方式のデータが、スキャンデータ群として、１つのフォルダに纏めて記憶される。この際、複数のＪＰＥＧ方式のデータには、複数の原稿がスキャンされた順番に応じた通し番号が付されている。具体的には、例えば、１枚目の原稿のスキャンデータには、（００１）が付され、２枚目の原稿のスキャンデータには、（００２）が付される。
【００２０】
また、スキャンデータがＰＤＦ形式のデータである場合には、複数枚の原稿がスキャンされることにより、複数のスキャンデータが纏められた１つのＰＤＦ方式のデータが形成されるため、その１つのＰＤＦ形式のデータが、スキャンデータ群として、記憶される。なお、１つのＰＤＦ方式のデータが形成される際には、複数のスキャンデータが、複数の原稿がスキャンされた順番で、１つのＰＤＦ形式のデータに纏められている。
【００２１】
また、ＰＣ１０は、スキャンデータをスキャナ３０から受信すると、図３に示すように、パネル１６の表示面５０のメイン画面５２の隣に、プレビュー画面７０を表示する。このプレビュー画面７０には、受信したスキャンデータに基づく画像７６が表示される。図３のプレビュー画面７０には、９枚の画像７６ａ〜７６ｉが表示されている。また、プレビュー画面７０には、継続スキャンアイコン（本発明の第１アイコンおよび第２アイコンの一例）７８が表示される。この継続スキャンアイコン７８は、継続スキャン処理を行うためのアイコンである。
【００２２】
継続スキャン処理は、上述したように、新たな原稿のスキャンデータを、先に実行されたスキャン処理に基づくスキャンデータ群（以下、「既存スキャンデータ」と記載する場合がある）と一緒に記憶させたい場合に実行されるスキャン処理である。また、ＰＣ１０では、継続スキャンアイコン７８のドラッグ操作により、新たな原稿のスキャンデータの既存スキャンデータへの挿入位置を特定し、継続スキャン処理を行うことが可能である。
【００２３】
具体的には、例えば、先にスキャン処理が実行された複数枚の原稿のうちの５枚目の原稿と６枚目の原稿との間に、追加の原稿を挿入したい場合には、継続スキャンアイコン７８に重なるように、マウス操作により、ポインタ６０を移動させ、さらに、左クリック操作をした状態で、ポインタ６０を、図４に示すように、プレビュー画面７０に表示されている画像７６ａ〜７６ｉのうちの５番目の画像７６ｅと６番目の画像７６ｆとの間に移動させる。これにより、継続スキャンアイコン７８が、５番目の画像７６ｅと６番目の画像７６ｆとの間に表示される。この際、６番目の画像７６ｆ以降の画像、つまり、６〜９番目の画像７６ｆ〜７６ｉ画像は、継続スキャンアイコン７８のスペース分、ズレた状態で、プレビュー画面７０に表示される。
【００２４】
そして、スキャナ３０のＡＤＦ（Auto Document Feederの略）（図示省略）若しくは、フラットベッド（図示省略）に、追加したい原稿がセットされた状態で、５番目の画像７６ｅと６番目の画像７６ｆとの間に表示されている継続スキャンアイコン７８に対して左クリック操作が行われると、スキャン指令が、ＰＣ１０からスキャナ３０に送信される。この際、スキャン指令とともにスキャン処理の設定値も送信されるが、そのスキャン処理の設定値は、プレビュー画面７０に対応して設定されている。
【００２５】
詳しくは、プレビュー画面７０に画像が表示される際には、プレビュー画面７０に直近に表示された画像のスキャンデータ生成時のスキャン処理の設定値が、プレビュー画面７０と関連付けられて、データ記憶領域２８に記憶される。つまり、例えば、図３に示すプレビュー画面７０に直近に表示された画像７６は、図２のメインスキャンアイコン５４の操作により実行されたスキャン処理によって生成されたものであり、そのスキャン処理の設定値は、図２のメイン画面５２において選択されていた設定選択ボタン５６に応じた設定値である。このため、プレビュー画面７０に画像７６が表示される際に、プレビュー画面７０と、図２のメイン画面５２において選択されていた設定選択ボタン５６に応じた設定値とが関連付けられて、データ記憶領域２８に記憶される。そして、プレビュー画面７０の継続スキャンアイコン７８に対する左クリック操作が行われると、プレビュー画面７０と関連付けられて記憶されている設定値が、データ記憶領域２８から抽出され、その抽出された設定値が、スキャン指令とともに、スキャナ３０に送信される。これにより、継続スキャン処理の設定等を行うことなく、既存スキャンデータの設定値と同じ設定値で、追加原稿のスキャン処理を行うことが可能となる。
【００２６】
スキャナ３０は、所定の設定値に従ったスキャン指令を受信すると、その設定値に従ったスキャン処理を実行し、スキャン処理により生成されたスキャンデータを、ＰＣ１０に送信する。ＰＣ１０は、スキャンデータを受信すると、そのスキャンデータ（以下、「追加スキャンデータ」と記載する場合がある）と、既存スキャンデータ、つまり、プレビュー画面７０に表示されている画像７６のスキャンデータと関連付けて、一群のスキャンデータとしてデータ記憶領域２８に記憶する。この際、ＰＣ１０は、継続スキャンアイコン７８によって特定された位置に応じて、追加スキャンデータと既存スキャンデータとの並び順を決定し、決定された並び順に従って、追加スキャンと既存スキャンデータとを、データ記憶領域２８に記憶する。
【００２７】
具体的には、スキャンデータがＪＰＥＧ形式のデータである場合には、既存スキャンデータが記憶されているフォルダに、追加スキャンデータが記憶される。この際、追加スキャンデータには、既存スキャンデータへの挿入位置に応じた通し番号が付され、既存スキャンデータのうちの追加スキャンデータが挿入された位置より後半のスキャンデータの通し番号が、挿入したスキャンデータの数だけ増加させる。例えば、図４に示すように、プレビュー画面７０で、５番目の画像７６ｅと６番目の画像７６ｆとの間に表示されている継続スキャンアイコン７８に対して左クリック操作が行われ、受信したスキャンデータが２つである際には、追加スキャンデータのそれぞれには、（００６）、（００７）が付され、６番目の画像７６ｆのスキャンデータに付されている（００６）が（００８）に書き換えられる。また、７番目の画像７６ｇ以降の画像のスキャンデータに付されている通し番号も、２増加させた番号に書き換えられる。このように、既存スキャンデータと追加スキャンデータとに通し番号を付することで、ユーザの意図する順番で、追加スキャンデータと既存スキャンデータとを、スキャンデータ群として、記憶することが可能となる。
【００２８】
また、スキャンデータがＰＤＦ形式のデータである場合には、既存スキャンデータと追加スキャンデータとが結合され、その１つのＰＤＦ形式のデータが、スキャンデータ群として、記憶される。この際、追加スキャンデータは、継続スキャンアイコン７８の位置に応じて、既存スキャンデータに挿入された状態で、既存スキャンデータと追加スキャンデータとが結合される。例えば、図４に示すように、プレビュー画面７０で、５番目の画像７６ｅと６番目の画像７６ｆとの間に表示されている継続スキャンアイコン７８に対して左クリック操作が行われた際には、５番目の画像７６ｅのスキャンデータの後ろに、追加スキャンデータが結合され、その追加スキャンデータの後ろに、６番目の画像７６ｆのスキャンデータが結合される。このように、既存スキャンデータと追加スキャンデータとを結合することで、ユーザの意図する順番で、追加スキャンデータと既存スキャンデータとを、１つのデータとして、記憶することが可能となる。
【００２９】
なお、スキャンデータが、ＪＰＥＧ方式である場合と、ＰＤＦ方式である場合のいずれにおいても、挿入される追加スキャンデータの数を、予め固定としてもよい。また、継続スキャンアイコン７８に対する左クリックがなされ、スキャナ３０にスキャン指令が送信されたときに、ＡＤＦにセットされているすべての原稿又はフラッドベッドに載置されている原稿をスキャンして得られるスキャンデータを追加スキャンデータとしてもよい。
【００３０】
なお、ＰＣ１０では、追加スキャンデータをスキャナ３０から受信すると、プレビュー画面７０上の継続スキャンアイコン７８の位置に、追加スキャンデータに基づく画像が表示される。つまり、５番目の画像７６ｅと６番目の画像７６ｆとの間に、追加スキャンデータに基づく画像が表示される。このように、ＰＣ１０では、プレビュー画面７０に表示されている継続スキャンアイコン７８を操作するだけで、そのプレビュー画面７０に表示されている画像７６の既存スキャンデータに新たなスキャンデータを追加するとともに、追加スキャンデータの挿入位置を指定することが可能となる。
【００３１】
なお、上述した継続スキャン処理では、２つの既存スキャンデータの間に追加スキャンデータが挿入されているが、既存スキャンデータの先頭に追加スキャンデータを挿入、若しくは、既存スキャンデータの最後に追加スキャンデータを挿入することが可能である。この場合には、継続スキャンアイコン７８が、ドラッグ操作により、画像７６ａの左隣、若しくは、画像７６ｉの右隣に移動される。
【００３２】
また、上述した継続スキャン処理では、追加原稿のスキャン処理の設定値は、直近に表示された既存スキャンデータの設定値と同じであったが、追加原稿のスキャン処理を、直近に表示された既存スキャンデータの設定値と異なる設定値で、行うことが可能である。詳しくは、プレビュー画面７０の継続スキャンアイコン７８上に、マウス操作により、ポインタ６０を移動させ、右クリック操作が行われることで、図５に示すように、継続スキャンアイコン７８の隣に選択画面８０が表示される。この選択画面８０には、設定変更ボタン８２，８４とイメージボタン（本発明の第３アイコンの一例）８６が表示される。設定変更ボタン８２，８４は、継続スキャン処理の設定値を変更するためのボタンであり、設定変更ボタン８２，８４毎にスキャン処理の設定値が設定されている。それら設定変更ボタン８２，８４の何れかのボタンに対する左クリック操作が行われることで、継続スキャン処理の設定値が、操作されたボタンに応じた設定値に変更される。そして、継続スキャンアイコン７８に対する左クリック操作が行われることで、変更された設定値に応じた継続スキャン処理が実行される。なお、継続スキャン処理の設定値が変更された場合には、プレビュー画面７０と関連付けられて記憶されている継続スキャン処理の設定値が、設定変更ボタン８２，８４の操作により変更された設定値に更新される。
【００３３】
また、イメージボタン８６は、継続スキャン処理を実行する前に、先にスキャン処理の完了している原稿に、新たな原稿を追加した場合のイメージ図を、パネル１６の表示面５０に表示するためのボタンである。具体的には、イメージボタン８６のプルダウンボタンに対する左クリック操作が行われることで、プルダウンメニュー（図示省略）が、イメージボタン８６の下に表示される。プルダウンメニューには、Ｐｈｏｔｏサイズ，Ａ４サイズ，Ａ３サイズ等の原稿のサイズを選択するための複数の選択ボタン（図示省略）が表示され、それら複数の選択ボタンが選択されることで、継続スキャンアイコン７８の後方に、選択されたボタンに応じたサイズの画像が表示される。
【００３４】
例えば、５番目の画像７６ｅと６番目の画像７６ｆとの間に継続スキャンアイコン７８が表示されている際にイメージボタン８６が操作され、プルダウンメニューにおいて、Ｐｈｏｔｏサイズの選択ボタンと、Ａ３サイズの選択ボタンと、Ａ３サイズの選択ボタンが操作された場合には、図６に示すように、継続スキャンアイコン７８の後方に、Ｐｈｏｔｏサイズの原稿と同じ比率の大きさのイメージ画像（本発明の第４アイコンの一例）８８と、Ａ３サイズの原稿と同じ比率の大きさのイメージ画像（本発明の第４アイコンの一例）９０と、Ａ３サイズの原稿と同じ比率の大きさのイメージ画像（本発明の第４アイコンの一例）９２が表示される。この際、６番目の画像７６ｆ以降の画像、つまり、６〜９番目の画像７６ｆ〜７６ｉ画像は、３枚のイメージ画像のスペース分、ズレた状態で、プレビュー画面７０に表示される。これにより、ユーザは、継続スキャン処理を実行していなくても、継続スキャン処理を実行した場合の原稿の並び順等を、イメージすることが可能となる。
【００３５】
そして、図６に示された状態のプレビュー画面７０において、継続スキャンアイコン７８に対する左クリック操作が行われることで、プレビュー画面７０に表示されているイメージ画像８８，９０，９２の原稿サイズに応じた継続スキャン処理が実行される。つまり、例えば、ＡＤＦに３枚の原稿がセットされている場合には、１枚の目の原稿は、Ｐｈｏｔｏサイズ用のスキャン処理が行われ、２，３枚の目の原稿は、Ａ３サイズ用のスキャン処理が行われる。これにより、原稿毎に原稿サイズの変更を行う必要が無く、便利である。また、例えば、ＡＤＦに５枚の原稿がセットされていても、３枚の原稿しかスキャンされない。これにより、スキャンミス等を防止することが可能となる。さらに、例えば、フラットベッドにＰｈｏｔｏサイズの原稿がセットされ、ＡＤＦにＡ３サイズの原稿がセットされている場合には、Ｐｈｏｔｏサイズの原稿のスキャンデータが、５番目の画像７６ｅの後に挿入され、Ａ３サイズの原稿のスキャンデータは、Ｐｈｏｔｏサイズの原稿のスキャンデータの後に挿入される。このように、プレビュー画面７０にイメージ画像８８，９０，９２を表示させた状態で継続スキャン処理を行うことで、非常に効率よく、スキャン処理を行うことが可能となる。
【００３６】
また、上述した継続スキャン処理では、既存スキャンデータの間、若しくは、隣に追加スキャンデータが挿入された状態で記憶されるが、既存スキャンデータの代わりに、追加スキャンデータを記憶することが可能である。つまり、既存スキャンデータを追加スキャンデータに変更することが可能である。このため、例えば、プレビュー画面７０に表示されている画像７６が適切でない場合、具体的には、エラー，ジャム等の発生により画像７６が白紙である場合，画像７６が斜め等にズレた状態で表示されている場合，予定と異なる原稿がスキャンされた場合に、その適切でない画像７６のスキャンデータを、新たな原稿のスキャンデータに変更することが可能である。
【００３７】
具体的には、例えば、プレビュー画面７０の５番目の画像７６ｆが適切な画像でない場合には、図７に示すように、ドラッグ操作により、継続スキャンアイコン７８を、その画像７６ｆに重なるように移動させ、その位置において、継続スキャンアイコン７８に対して左クリック操作が行われることで、スキャン指令が、ＰＣ１０からスキャナ３０に送信される。
【００３８】
この際、スキャン指令とともにスキャン処理の設定値も送信されるが、そのスキャン処理の設定値は、画像７６ｆのスキャンデータが生成された際のスキャン処理の設定値である。つまり、画像７６の隣に継続スキャンアイコン７８を移動させ、その位置において、継続スキャン処理が行われる場合には、プレビュー画面７０に対応して設定されている設定値、すなわちプレビュー画面７０に直近に表示された画像のスキャンデータ生成時のスキャン処理の設定値が使用されるが、画像７６に重なるように継続スキャンアイコン７８を移動させ、その位置において、継続スキャン処理が行われる場合には、その画像のスキャンデータと同じ設定値が使用される。これにより、継続スキャンアイコン７８の操作により選択された画像のスキャンデータ（以下、「変更前スキャンデータ」と記載する場合がある）を追加スキャンデータに変更する際に、設定値の設定を行うことなく、変更前スキャンデータの設定値と、追加スキャンデータの設定値とを同じにすることが可能となる。
【００３９】
詳しくは、メインスキャンアイコン５４が操作されて得られたスキャンデータが記憶領域２８に記憶される際、及び継続スキャンにより得られたスキャンデータが記憶領域２８に記憶される際は、スキャンデータの各々と、スキャンデータ生成時のスキャン処理の設定値が、記憶される。このとき記憶される設置値は、プレビュー画面７０と関連付けられて、データ記憶領域２８に記憶される設置値とは独立したものである。そのため、プレビュー画面７０に表示されている画像７６のいずれのスキャンデータの代わりに、追加スキャンデータを記憶する場合でも、置き換え元のスキャンデータ生成時の設定値で継続スキャンを行うことができる。
【００４０】
スキャナ３０は、所定の設定値を含むスキャン指令を受信すると、その設定値に従ってスキャン処理を実行し、スキャン処理により生成されたスキャンデータを、ＰＣ１０に送信する。ＰＣ１０は、スキャンデータを受信すると、そのスキャンデータ、つまり、追加スキャンデータで変更前スキャンデータが上書きされるように、追加スキャンデータを既存スキャンデータに関連付けて、データ記憶領域２８に記憶する。
【００４１】
具体的には、スキャンデータがＪＰＥＧ形式のデータである場合には、既存スキャンデータが記憶されているフォルダに、追加スキャンデータが記憶される。この際、既存スキャンデータのうちの変更前スキャンデータは、削除される。そして、変更前スキャンデータに付されていた通し番号が、追加スキャンデータに付される。このように、追加スキャンデータに通し番号を付することで、スキャンデータの並び順を変更することなく、変更前スキャンデータを追加スキャンデータに変更することが可能となる。
【００４２】
また、スキャンデータがＰＤＦ形式のデータである場合には、既存スキャンデータとしての１つのＰＤＦ形式のデータから変更前スキャンデータが削除される。そして、変更前スキャンデータが削除されたＰＤＦ形式のデータと追加スキャンデータとが結合される。この際、追加スキャンデータは、変更前スキャンデータが存在していた位置に、結合される。このように、既存スキャンデータと追加スキャンデータとを結合することで、スキャンデータの並び順を変更することなく、変更前スキャンデータを追加スキャンデータに変更することが可能となる。
【００４３】
なお、ＰＣ１０では、追加スキャンデータをスキャナ３０から受信すると、継続スキャンアイコン７８により選択された画像の代わりに、追加スキャンデータに基づく画像が、プレビュー画面７０に表示される。つまり、６番目の画像７６ｆに重なるように継続スキャンアイコン７８が表示されている際に、継続スキャン処理が実行された場合には、６番目の画像７６ｆが削除され、その画像７６ｅが追加スキャンデータに基づく画像に置き換えられる。
【００４４】
＜制御プログラム＞
上述した継続スキャン処理は、ＰＣ１０のＣＰＵ１２において制御プログラム２６が実行されることによって行われる。以下に、図８乃至図１１用いて、ＣＰＵ１２で制御プログラム２６が実行される際のフローを説明する。なお、このフローは、メイン画面５２上の図示しない終了ボタンに対する選択操作が行われるまで繰り返し実行される。
【００４５】
制御プログラム２６が実行されると、図８に示すように、ＰＣ１０のパネル１６の表示面５０に、メイン画面５２が表示される（以下、「Ｓ」と略す）１００）。次に、メイン画面５２のメインスキャンアイコン５４に対する左クリック操作が行われたか否かが、ＣＰＵ１２によって判断される（Ｓ１０２）。メインスキャンアイコン５４に対する左クリック操作が行われていない場合（Ｓ１０２のＮＯ）には、Ｓ１０２の処理が繰り返される。一方、メインスキャンアイコン５４に対する左クリック操作が行われた場合（Ｓ１０２のＹＥＳ）には、スキャナ３０にスキャン指示が送信される（Ｓ１０４）。この際、選択されている設定選択ボタン５６に応じたスキャン処理の設定値が、スキャン指令とともに、スキャナ３０に送信される。そして、そのスキャン処理の設定値が、プレビュー画面７０に関連付けてデータ記憶領域２８に記憶される（Ｓ１０６）。
【００４６】
ＰＣ１０は、スキャン指令を送信すると、そのスキャン指令に対する返信として、スキャンデータをスキャナ３０から受信する（Ｓ１０８）。そして、ＰＣ１０は、受信したスキャンデータを、Ｓ１０４で送信した設定値と関連付けてデータ記憶領域２８に記憶し（Ｓ１０９）、受信したスキャンデータに基づく画像７６をプレビュー画面７０に表示する（Ｓ１１０）。次に、プレビュー画面７０の継続スキャンアイコン７８に対するドラッグ操作の有無が、ＣＰＵ１２によって判断される（Ｓ１１２）。継続スキャンアイコン７８に対するドラッグ操作が無い場合（Ｓ１１２のＮＯ）には、Ｓ１１２の処理が繰り返される。
【００４７】
継続スキャンアイコン７８に対するドラッグ操作が有った場合（Ｓ１１２のＹＥＳ）には、ドラッグ先の位置が取得される（Ｓ１１４）。次に、ドラッグ先の位置が、プレビュー画面７０の画像７６と重なる位置、若しくは、隣であるか否かが、ＣＰＵ１２によって判断される（Ｓ１１６）。ドラッグ先の位置が画像７６と重なる位置、若しくは、隣でない場合（Ｓ１１６のＮＯ）には、Ｓ１１２に戻る。一方、ドラッグ先の位置が画像７６と重なる位置、若しくは、隣である場合（Ｓ１１６のＹＥＳ）には、継続スキャンアイコン７８に対する右クリック操作の有無が、ＣＰＵ１２によって判断される（Ｓ１１８）。
【００４８】
継続スキャンアイコン７８に対する右クリック操作が有った場合（Ｓ１１８のＹＥＳ）には、選択画面８０が継続スキャンアイコン７８の隣に表示される（Ｓ１２０）。そして、選択画面８０の設定変更ボタン８２，８４に対する左クリック操作の有無が、ＣＰＵ１２によって判断される（Ｓ１２２）。設定変更ボタン８２，８４に対する左クリック操作が有った場合（Ｓ１２２のＹＥＳ）には、データ記憶領域２８に記憶されている設定値が、操作された設定変更ボタン８２，８４に応じた設定値に変更される（Ｓ１２４）。そして、Ｓ１２６に進む。一方、設定変更ボタン８２，８４に対する左クリック操作が無かった場合（Ｓ１２２のＮＯ）には、Ｓ１２４の処理がスキップされ、Ｓ１２６に進む。
【００４９】
Ｓ１２６では、イメージボタン８６に対する左クリック操作の有無が、ＣＰＵ１２によって判断される（Ｓ１２６）。イメージボタン８６に対する左クリック操作が無かった場合（Ｓ１２６のＮＯ）、若しくは、Ｓ１１８で継続スキャンアイコン７８に対する右クリック操作が無かった場合（Ｓ１１８のＮＯ）には、継続スキャンアイコン７８に対する左クリック操作の有無が、ＣＰＵ１２によって判断される（Ｓ１２８）。継続スキャンアイコン７８に対する左クリック操作が無かった場合（Ｓ１２８のＮＯ）には、Ｓ１１８に戻る。一方、継続スキャンアイコン７８に対する左クリック操作が有った場合（Ｓ１２８のＹＥＳ）には、継続スキャンアイコン７８のドラッグ先の位置が画像７６と重なる位置であるか否かが、ＣＰＵ１２によって判断される（Ｓ１３０）。
【００５０】
継続スキャンアイコン７８のドラッグ先の位置が画像７６と重なる位置である場合（Ｓ１３０のＹＥＳ）には、設定変更ボタン８２，８４の操作により設定値が変更されたか否かが、ＣＰＵ１２によって判断される（Ｓ１３２）。設定値が変更されていない場合（Ｓ１３２のＮＯ）には、プレビュー画面７０と関連付けられてデータ記憶領域２８に記憶されているスキャン処理の設定値が、ドラッグ先の位置の画像７６に関連付けてデータ記憶領域２８に記憶されている設定値に変更される（Ｓ１３４）。そして、Ｓ１３６に進む。また、継続スキャンアイコン７８のドラッグ先の位置が画像７６の隣である場合（Ｓ１３０のＮＯ）、若しくは、設定値が変更されている場合（Ｓ１３２のＹＥＳ）にも、Ｓ１３６に進む。
【００５１】
Ｓ１３６では、スキャナ３０にスキャン指示が送信される（Ｓ１３６）。この際、スキャン指令とともに、データ記憶領域２８に記憶されている設定値が、スキャナ３０に送信される。ＰＣ１０は、スキャン指令を送信すると、そのスキャン指令に対する返信として、スキャンデータをスキャナ３０から受信する（Ｓ１３８）。そして、ＰＣ１０は、受信したスキャンデータに基づく画像７６をプレビュー画面７０に表示する（Ｓ１４０）。次に、取得したスキャンデータがＰＤＦ形式のデータであるか否かが、ＣＰＵ１２によって判断される（Ｓ１４２）。
【００５２】
取得したスキャンデータがＰＤＦ形式のデータである場合（Ｓ１４２のＹＥＳ）には、取得したスキャンデータと既存スキャンデータとを結合し、結合したデータをデータ記憶領域２８に記憶する（Ｓ１４４）。さらに、追加スキャンデータに設定値を関連付けてデータ記憶領域２８に記憶する（Ｓ１４５）。そして、Ｓ１１２に戻る。一方、取得したスキャンデータがＰＤＦ形式のデータでない場合（Ｓ１４２のＮＯ）には、継続スキャンアイコン７８のドラッグ先の位置が画像７６と重なる位置であるか否かが、ＣＰＵ１２によって判断される（Ｓ１４６）。
【００５３】
継続スキャンアイコン７８のドラッグ先の位置が画像７６と重なる位置である場合（Ｓ１４６のＹＥＳ）には、変更前スキャンデータを削除し、変更前スキャンデータの通し番号で、追加スキャンデータをデータ記憶領域２８に記憶する（Ｓ１４８）。そして、Ｓ１４５以降の処理が行われる。一方、継続スキャンアイコン７８のドラッグ先の位置が画像７６の隣である場合（Ｓ１４６のＮＯ）には、既存スキャンデータと追加スキャンデータとの並び順に応じた通し番号で、既存スキャンデータと追加スキャンデータとをデータ記憶領域２８に記憶する（Ｓ１５０）。そして、Ｓ１４５以降の処理が行われる。
【００５４】
また、Ｓ１２６でイメージボタン８６に対する左クリック操作が有った場合（Ｓ１２６のＹＥＳ）には、継続スキャンアイコン７８のドラッグ先の位置が画像７６の隣であるか否かが、ＣＰＵ１２によって判断される（Ｓ１５２）。継続スキャンアイコン７８のドラッグ先の位置が画像７６の隣である場合（Ｓ１５２のＹＥＳ）には、ドラッグ位置にイメージ画像８８，９０，９２が表示される（Ｓ１５４）。そして、Ｓ１１２以降の処理が行われる。一方、継続スキャンアイコン７８のドラッグ先の位置が画像７６と重なる位置である場合（Ｓ１５２のＮＯ）には、Ｓ１２８以降の処理が行われる。
【００５５】
なお、Ｓ１００を実行するＣＰＵ１２は、第１画面表示手段の一例である。Ｓ１０６，Ｓ１２４，Ｓ１３４を実行するＣＰＵ１２は、第２記憶手段の一例である。Ｓ１１０を実行するＣＰＵ１２は、表示手段の一例である。Ｓ１１４を実行するＣＰＵ１２は、取得手段の一例である。Ｓ１１６を実行するＣＰＵ１２は、第１判断手段の一例である。Ｓ１４４，Ｓ１４８，Ｓ１５０を実行するＣＰＵ１２は、並び順決定手段および、第１記憶手段の一例である。Ｓ１２８を実行するＣＰＵ１２は、第２判断手段の一例である。Ｓ１３６を実行するＣＰＵ１２は、スキャン指示送信手段の一例である。Ｓ１３８を実行するＣＰＵ１２は、スキャンデータ受信手段の一例である。Ｓ１２６を実行するＣＰＵ１２は、第３判断手段の一例である。
【００５６】
＜第２実施形態＞
第１実施形態では、ユーザによるドラッグ操作により、追加スキャンデータの挿入位置が設定されているが、追加スキャンデータの挿入位置を自動で設定することが可能である。具体的には、第２実施形態のＰＣ１０は、プレビュー画面７０に表示されている画像７６から、エラー画像、例えば、ジャム等の発生による白紙画像、斜め等にズレた状態で表示されている画像等を抽出することが可能な機能部（以下、「エラー画像抽出部」と記載する場合がある）を備えている。そして、エラー画像抽出部によってエラー画像が抽出された場合に、継続スキャンアイコン７８が、エラー画像に重なるように、自動で移動する。つまり、例えば、図１２に示すように、プレビュー画面７０に表示されている画像７６ｂが、白紙画像であり、エラー画像抽出部により、画像７６ｂがエラー画像であると判断された場合に、継続スキャンアイコン７８が、自動で画像７６ｂに重なるように移動する。そして、ユーザは、画像７６ｂに重なるように自動で移動した継続スキャンアイコン７８に対して、左クリック操作を行うだけで、エラー画像を、新たな原稿の画像に変更することが可能となる。このように、第２実施形態のＰＣ１０では、原稿差し替え時のユーザ操作を少なくすることが可能となる。
【００５７】
＜第３実施形態＞
上記実施形態では、プレビュー画面７０上を移動可能な継続スキャンアイコン７８を用いて、継続スキャン処理が実行されるが、プレビュー画面７０上を移動不能なスキャンアイコンにより継続処理を行うことが可能である。具体的には、第３実施形態のＰＣ１０では、図１３に示すように、プレビュー画面７０に、複数の画像７６ａ〜７６ｉと継続スキャンアイコン１００とが表示されている。継続スキャンアイコン１００は、ドラッグ操作不能であるが、クリック操作は可能である。ただし、図１３での継続スキャンアイコン１００は、クリック操作を受け付けない状態、つまり、無効状態とされている。
【００５８】
また、第３実施形態のＰＣ１０も、第２実施形態のＰＣ１０と同様に、エラー画像抽出部を備えている。そして、第３実施形態のＰＣ１０では、エラー画像抽出部によりエラー画像が抽出された場合には、エラー画像に重なるように所定の記号が表示される。具体的には、例えば、プレビュー画面７０の複数の画像７６ａ〜７６ｉのうちの３枚の画像７６ｂ，７６ｅ，７６ｈがエラー画像である場合には、各画像７６ｂ，７６ｅ，７６ｈに重なるように、記号１０２，１０４，１０６が表示される。これにより、ユーザは、複数の画像７６ａ〜７６ｉのうちの何れの画像がエラー画像であるかを認知する。なお、図１３での記号１０２，１０４，１０６は、外縁のみに着色され、内部に着色されていない状態で、表示されている。
【００５９】
そして、記号１０２，１０４，１０６が表示された画像を、ユーザ操作により選択することで、継続スキャンアイコン１００が有効な状態となり、継続スキャン処理が実行可能となる。具体的には、例えば、ユーザが、３枚のエラー画像７６ｂ，７６ｅ，７６ｈのうちの２枚のエラー画像７６ｂ，７６ｅに対して、左クリック操作を行うことで、図１４に示すように、２枚のエラー画像７６ｂ，７６ｅ上の記号１０２，１０４が変色する。詳しくは、記号１０２，１０４の内部が着色される。この際、継続スキャンアイコン１００は、クリック操作を受け付け可能な状態、つまり、有効状態とされている。そして、継続スキャンアイコン１００に対する左クリック操作が行われることで、継続スキャン処理が実行される。この継続スキャン処理では、２枚のエラー画像７６ｂ，７６ｅが、新たな原稿の画像に変更される。このように、第３実施形態のＰＣ１０では、複数のエラー画像のうちに任意の画像を、新たな原稿の画像に変更することが可能である。
【００６０】
なお、本発明は、上記実施形態に限定されるものではなく、当業者の知識に基づいて種々の変更、改良を施した種々の態様で実施することが可能である。具体的には、例えば、上記実施形態では、継続スキャン処理を実行するための装置として、ＰＣ１０が採用されているが、スマートフォン等の携帯端末を採用することが可能である。また、メインスキャンアイコン５４等のボタン操作を行うための操作部として、マウス１８が採用されているが、操作ボタン、タッチパネル等を採用することが可能である。その際、選択動作は左クリックに代えてタップ等により行うことができる。
【００６１】
また、上記実施形態では、スキャンデータをＪＰＥＧ方式とＰＤＦ方式のいずれかで保存していたが、これ以外のデータ形式であってもよい。例えばＢＭＰ、ＴＩＦＦなどが挙げられる。その場合、１つのファイルに複数のスキャンデータを格納できる場合は、スキャンデータをＰＤＦと同様に記憶し、できない場合はＪＰＥＧと同様に記憶すればよい。
【００６２】
また、上記実施形態では、ＣＰＵ１２によって図８乃至図１１等に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００６３】
１０：ＰＣ（情報処理装置）
１２：ＣＰＵ（コンピュータ）（制御部）
１６：パネル（表示部）
１６：マウス（操作部）
２０：ネットワークＩ／Ｆ（通信部）
２６：制御プログラム
２８：データ記憶領域（記憶部）
３０：スキャナ（スキャン装置）
７８：継続スキャンアイコン（第１アイコン）（第２アイコン）
８６：イメージボタン（第３アイコン）
８８，９０，９２：イメージ画像（第４アイコン）
【図１】
2015198288.tif 000003
【図２】
2015198288.tif 000004
【図３】
2015198288.tif 000005
【図４】
2015198288.tif 000006
【図５】
2015198288.tif 000007
【図６】
2015198288.tif 000008
【図７】
2015198288.tif 000009
【図８】
2015198288.tif 000010
【図９】
2015198288.tif 000011
【図１０】
2015198288.tif 000012
【図１１】
2015198288.tif 000013
【図１２】
2015198288.tif 000014
【図１３】
2015198288.tif 000015
【図１４】
2015198288.tif 000016